(57)【要約】インターネット上での広告を効率よく行うことのできるとともに、適正な広告費用を計上できるバナー広告方法である。各広告掲載ホームページに掲載されたバナー広告の所定期間内のクリック数を計数するクリック数計数行程（Ｓ１０９）と、すべての広告掲載ホームページについての上記クリック数を積算して総クリック数を求める総クリック数算出行程（Ｓ１１５と）、上記バナー広告に対する広告報酬総額を、上記総クリック数で除して、１クリック当たりのクリック報酬単価を求めるクリック報酬単価算出行程（Ｓ１１６）と、各広告掲載ホームページの上記クリック数と上記クリック報酬単価とを掛け合わせて、各広告掲載ホームページの上記バナー広告に対する広告報酬を算出する広告報酬算出行程（Ｓ１１７）とを含んで構成される。
2003038705.tif 000002
【特許請求の範囲】
【請求項１】
広告対象に係るバナー広告を掲載した２以上の広告掲載ホームページと、上記バナー広告をクリックすることにより閲覧できるとともに上記広告対象を掲載した広告ホームページとをインターネット上に設け、上記バナー広告に対する広告報酬を計上するバナー広告方法であって、
各広告掲載ホームページに掲載された上記バナー広告の所定期間内のクリック数を計数するクリック数計数行程と、
すべての広告掲載ホームページについての上記クリック数を積算して総クリック数を求める総クリック数算出行程と、
上記バナー広告に対する広告報酬総額を、上記総クリック数で除して、１クリック当たりのクリック報酬単価を求めるクリック報酬単価算出行程と、
各広告掲載ホームページの上記クリック数と上記クリック報酬単価とを掛け合わせて、各広告掲載ホームページの上記バナー広告に対する広告報酬を算出する広告報酬算出行程とを含む、バナー広告方法。
【請求項２】
上記バナー広告を介して閲覧されたホームページから得られた成果を、各広告掲載ホームページについて計数する広告成果計数行程と、
上記成果をすべての広告掲載ホームページについて積算して全成果を算出する全成果算出行程と、
上記広告報酬総額を上記全成果に基づいて算出する広告報酬総額算出行程とを含む、請求の範囲１に記載のバナー広告方法。
【請求項３】
上記成果に基づいて各広告掲載ホームページの成功報酬を算出する成功報酬算出行程を含み、上記成功報酬を上記広告報酬に加算して計上する、請求の範囲２に記載のバナー広告方法。
【請求項４】
上記広告対象が販売を目的とする商品又は役務に関するものであって、
上記成果が上記商品又は役務の販売数量及び／又は販売額として計数されるとともに、
上記広告報酬総額が、上記販売数量及び／又は販売額に基づいて算出される、請求の範囲２に記載のバナー広告方法。
【請求項５】
上記広告ホームページからリンクして表示される注文ページを設け、上記注文ページを介して上記商品又は役務の注文を行うとともに上記成果の計数を行う、請求の範囲４に記載のバナー広告方法。
【請求項６】
上記注文ページから注文があった場合に、上記広告掲載ホームページの所有者に対する所定の成功報酬を計上する、請求の範囲５に記載のバナー広告方法。
【請求項７】
上記広告ホームページ及び／又は上記広告掲載ホームページが、インターネット上のショッピングモールを構成する商品ホームページである、請求の範囲１に記載のインターネットショッピングモールにおけるバナー広告方法。
【請求項８】
上記広告対象が情報収集を目的とするものであり、上記広告報酬及び／又は上記成功報酬を計上するとともに、情報提供者に対する協力報酬を計上する、請求の範囲３に記載のバナー広告方法。
【請求項９】
インターネット上で行われるオークションに出品される出品物の広告を行うインターネットオークションにおけるバナー広告方法であって、
上記出品物を掲載する出品物ホームページ及びこの出品物ホームページにリンクして表示される入札ページを設けるとともに、
上記出品物ホームページにリンクされたバナー広告を、上記オークションに属する他の出品物ホームページ及び／又は上記オークションに属さない広告掲載ホームページに掲載する、インターネットオークションにおけるバナー広告方法。
【請求項１０】
各ホームページに掲載された上記バナー広告の入札期間内のクリック数を計数するクリック数計数行程と、
上記バナー広告を掲載したすべてのホームページにおける上記クリック数を積算して総クリック数を求める総クリック数算出行程と、
上記バナー広告に対する広告報酬総額を、上記総クリック数で除して、１クリック当たりのクリック報酬単価を求めるクリック報酬単価算出行程と、
各ホームページの上記クリック数と上記クリック報酬単価とを掛け合わせて、各ホームページの上記バナー広告に対する広告報酬を算出する広告報酬算出行程とを含む、請求の範囲９に記載のインターネットオークションにおけるバナー広告方法。
【請求項１１】
上記バナー広告を介して閲覧された出品物ホームページからの入札によって出品物が落札された場合、上記バナー広告を掲載したホームページに対する落札報酬を計上する、請求の範囲９に記載のインターネットオークションにおけるバナー広告方法。
【請求項１２】
各ホームページに掲載されたバナー広告を、所定の間隔で他のバナー広告と入れ換える、請求の範囲９に記載のインターネットオークションにおけるバナー広告方法。
【請求項１３】
広告対象に係るバナー広告を掲載する２以上の広告掲載ホームページと、上記バナー広告をクリックすることによりリンクして閲覧できるとともに広告対象を掲載した広告ホームページとをインターネット上に設け、上記バナー広告のクリックを介して上記広告ホームページが閲覧されることに対する広告報酬を計上するバナー広告システムであって、
各広告掲載ホームページに掲載されたバナー広告の所定期間内のクリック数を計数できるクリック数計数手段と、
すべての広告掲載ホームページについての上記クリック数を積算して総クリック数を求める総クリック数算出手段と、
上記バナー広告に対する広告報酬総額を、上記総クリック数で除して、１クリック当たりのクリック報酬単価を求めるクリック報酬単価算出手段と、
各広告掲載ホームページの上記クリック数と上記クリック報酬単価とを掛け合わせて、各広告掲載ホームページの上記バナー広告に対する広告報酬を算出する広告報酬算出手段とを備える、バナー広告システム。
【請求項１４】
各広告掲載ホームページの上記バナー広告を介して得られる広告成果を計数する成果計数手段と、
すべての広告掲載ホームページについての上記成果を積算して全成果を算出する全成果算出行程と、
上記広告報酬総額を、上記全成果に基づいて算出する広告報酬総額算出手段を備える、請求の範囲１３に記載のバナー広告システム。
【請求項１５】
上記成果に基づいて各広告掲載ホームページの成功報酬を算出する成功報酬算出手段を備える、請求の範囲１４に記載のバナー広告システム。
【請求項１６】
上記成果計数手段は、上記広告ホームページからリンクして表示される注文ページを介して成果を計数するように構成されている、請求の範囲１４に記載のバナー広告システム。
【請求項１７】
上記バナー広告及び／又は上記注文ページを自動的に作成する自動作成手段を備える、請求の範囲１３に記載のバナー広告システム。
【請求項１８】
各出品物について設けられる出品物ホームページと、上記出品物ホームページにリンクされた入札ページを有する入札手段と、落札者を決定する落札手段とを備えるインターネットオークションにおけるバナー広告システムであって、
上記出品物ホームページにリンクされるとともに、上記オークションに属する他の出品物ホームページ及び／又は上記オークションに属さない広告掲載ホームページに掲載されるバナー広告を設けた、インターネットオークションにおけるバナー広告システム。
【請求項１９】
各ホームページに掲載されたバナー広告の所定期間内のクリック数を計数できるクリック数計数手段と、
すべてのホームページについての上記クリック数を積算して総クリック数を求める総クリック数算出手段と、
上記バナー広告に対する広告報酬総額を、上記総クリック数で除して、１クリック当たりのクリック報酬単価を求めるクリック報酬単価算出手段と、
各ホームページの上記クリック数と上記クリック報酬単価とを掛け合わせて、各バナー広告に対する広告報酬を算出する広告報酬算出手段とを備える、請求の範囲１８に記載のインターネットオークションにおけるバナー広告システム。
【請求項２０】
上記広告報酬総額を、落札された物品の価格及び／又は数量に基づいて算出する、広告報酬総額算出手段を設けた、請求の範囲１９に記載のインターネットオークションにおけるバナー広告システム。
【請求項２１】
上記落札された出品物の価格及び／又は数量に基づいて、バナー広告を掲載したホームページの成功報酬を算出する成功報酬算出手段を備える、請求の範囲１９のいずれかに記載のインターネットオークションにおけるバナー広告システム。
【請求項２２】
上記出品物に関するバナー広告を自動的に作成する、バナー広告自動作成手段を備える、請求の範囲１８に記載のインターネットオークションにおけるバナー広告システム。
【請求項２３】
バナー広告に係る出品物と所定の関係にあるホームページを自動的に選定して上記バナー広告を掲載するバナー広告掲載手段を備える、請求の範囲１８に記載のインターネットオークションにおけるバナー広告システム。
【請求項２４】
上記出品物ホームページ及び／又は入札ページをを自動的に作成するホームページ作成手段を備える、請求の範囲１８に記載のインターネットオークションにおけるバナー広告システム。
【請求項２５】
複数の出品物ホームページから構成されるインターネットオークションにおいて、
各出品物ホームページに掲載されたバナー広告を他のバナー広告と所定期間ごとに入れ換えるバナー広告入替え手段を備える、請求の範囲１８に記載のインターネットオークションにおけるバナー広告システム。
【請求項２６】
上記バナー広告に関する出品物が落札されたとき又は出品期間が経過したとき、上記出品物ホームページ及び上記バナー広告の削除と、他の出品物係るバナー広告への入替えを自動的に行うバナー広告更新手段を備える、請求の範囲１８に記載のインターネットオークションにおけるバナー広告システム。
【発明の詳細な説明】
技術分野
本願発明は、パソコンや携帯電話におけるインターネット広告に用いるバナー広告方法に関する。詳しくは、広告効果を高めることができるとともに、適正な広告報酬を算出することのできるバナー広告方法に関する。
背景技術
インターネット上で商品等の取引を行うため、商品等の説明を行う商品ホームページが設けられる。ところが、商品ホームページを設けただけでは、多くの消費者に商品ホームページの周知を図るのは困難である。このため、種々の広告媒体を用いて、上記商品ホームページの広告が行われる。
上記広告を行う方法として、他のホームページにバナー広告を掲載することが多い。バナー広告は、ホームページの余白等に設けられ、これをクリックすることにより、上記商品ホームページを閲覧できる。商取引に関する上記バナー広告を掲載したホームページの所有者には広告報酬が支払われる。
上記広告報酬の算出方法として、クリック報酬型の広告報酬算出方法と、成功報酬型の広告報酬算出方法とが普及している。上記クリック報酬型の広告報酬算出方法は、閲覧者がバナー広告を一回クリックした場合のクリック報酬単価をあらかじめ設定し、バナー広告のクリック数を計数して、このクリック数に上記クリック報酬単価を掛け合わせて算出した額を広告報酬として支払うものである。一方、上記成功報酬型の広告報酬算出方法は、バナー広告をクリックして閲覧した商品ホームページから商品の購入があった場合に、所定の成功報酬を広告報酬として支払うものである。通常、商品等の販売価格の数パーセントが広告報酬として支払われる。
上記クリック報酬型の広告報酬算出方法を採用した場合、クリック数に比例して広告報酬が増加する。このため、広告掲載ホームページの所有者あるいは関係者がバナー広告を故意にクリックして、クリック数を増加させる場合が多い。上記問題を解決するため、バナー広告が掲載されたホームページの閲覧回数に対するバナー広告クリック数から求めたクリック率を基準に、不正なクリックが行われているかどうかをある程度判断することかできる。しかしながら、この方法では、有効なクリック数を正当に評価することは困難である。
一方、成功報酬型の広告報酬算出方法を採用した場合、バナー広告を掲載しても広告報酬を期待することはできない。なぜなら、ホームページに掲載したバナー広告を介して商品等が購買される確率は０．０１％〜０．００１％であり極めて低いからである。このため、成功報酬型の広告報酬算出方法では、バナー広告を掲載するホームページを募集するのが困難である。
インターネット上のショッピングモールに出品して商品を販売する場合でも、ショッピングモール運営者が、出品者の商品に関する広告を行うことはない。このため、ショッピングモールに参加しても、期待できるほどの販売促進効果はない。
また、インターネットオークションは、基本的に個人間の商品売買であり、一点限りの出品物の場合も多い。したがって、出品物に係る広告宣伝はさらに困難である。このため、オークションに出品しても、誰にも気付かれずに出品期間を終える出品物も多い。
発明の開示
本願発明は、インターネット上での広告を効率よく行うことのできるとともに、適正な広告費用を計上できるバナー広告方法を提供するものである。
請求の範囲１に記載した発明は、広告対象に係るバナー広告を掲載した２以上の広告掲載ホームページと、上記バナー広告をクリックすることにより閲覧できるとともに上記広告対象を掲載した広告ホームページとをインターネット上に設け、上記バナー広告に対する広告報酬を計上するバナー広告方法であって、各広告掲載ホームページに掲載された上記バナー広告の所定期間内のクリック数を計数するクリック数計数行程と、すべての広告掲載ホームページについての上記クリック数を積算して総クリック数を求める総クリック数算出行程と、上記バナー広告に対する広告報酬総額を、上記総クリック数で除して、１クリック当たりのクリック報酬単価を求めるクリック報酬単価算出行程と、各広告掲載ホームページの上記クリック数と上記クリック報酬単価とを掛け合わせて、各広告掲載ホームページの上記バナー広告に対する広告報酬を算出する広告報酬算出行程とを含んで構成される。
上記バナー広告の対象には、商品や役務の提供のみならず、アンケート、会社等のイメージ広告、イベントの開催情報提供等の種々の広告対象が含まれる。また、広告掲載ホームページも、広告対象に関連のあるホームページのみならず、関連のないホームページも含まれる。
上記バナー広告の表示形態も限定されることはない。図形等と文字とを組合せたもの、文字のみからなるもの等の種々の形態のバナー広告を採用できる。また、バナー広告を掲載するホームページの形態も限定されることはない。
もちろん、各ホームページを閲覧するための端末機器も、ネットワークに接続できるものであれば特に限定されることはない。例えば、デスクトップタイプのパーソナルコンピュータのみならず、携帯型情報端末、さらに、携帯電話にも適用できる。
商品等を販売する目的でバナー広告を利用する場合には、上記広告ホームページからリンクして表示される注文ページを設け、この注文ページから商品等を注文するように構成できる。
上記クリック数計数行程は、ホームページ閲覧者のクリック数を各広告掲載ホームページごとに計数することにより行われる。また、上記クリック数計数行程は、契約等で定めた広告期間ごとに行われ、この期間における広告報酬等を算出するため用いられる。
種々の方法を用いて、上記クリック数計数行程を行うことができる。例えば、インターネット上にシステム運用サーバを設け、バナー広告をクリックすることにより、上記システム運用サーバを介して広告ホームページを閲覧できるように構成して、上記クリック数を計数するように構成することができる。また、広告掲載ホームページに、クリックがあった場合にシステム運用サーバにクリック情報を通知するクリック通知手段を設けることもできる。
上記総クリック数算出行程は、すべての広告掲載ホームページについて、上記バナー広告のクリック数を積算して、上記広告ホームページに係る全バナー広告の総クリック数を求めるものである。上記総クリック数算出行程は、上記クリック数を計数したシステム運用サーバを用いて行うことができる。
上記クリック報酬単価算出行程は、上記バナー広告に対する広告報酬総額を上記総クリック数で除してクリック報酬単価、すなわち一回のクリック当たりの報酬単価を算出するものである。本願発明では、商品等の購買につながったクリック数、商品ホームページのみ閲覧したクリック数及び不正に行われたクリック数のすべてのクリック数をたしあわせた総クリック数に基づいて上記クリック報酬単価が算出される。
上記広告報酬総額は、バナー広告費用として各ホームページ所有者に分配される金額の総額である。上記広告報酬総額の決定方法は特に限定されることはない。固定額を採用することもできるし、商品等の販売額のうち一定の割合を広告報酬として設定し、商品の販売数量に比例した額を広告報酬総額とすることもできる。
上記広告報酬算出行程は、各広告掲載ホームページに対する広告報酬を求めるものである。本願発明では、各広告掲載ホームページの上記クリック数と上記クリック報酬単価とを掛け合わせて上記広告報酬が算出される。
本願発明においては、バナー広告のクリック数に比例して広告報酬が決定されるが、不正クリック数が増加した場合にはクリック報酬単価が低下するため、不正クリックを抑止する効果がある。
請求の範囲２に記載した発明は、上記バナー広告を介して閲覧された広告ホームページから得られた成果を、各広告掲載ホームページについて計数する広告成果計数行程と、上記成果をすべての広告掲載ホームページについて積算して全成果を算出する全成果算出行程と、上記広告報酬総額を上記全成果に基づいて算出する広告報酬総額算出行程とを含んで構成されるバナー広告方法である。
上記広告成果計数行程は、バナー広告をクリックすることによって閲覧された広告ホームページから得られる種々の成果を計数するものであり、商品等の販売数量や販売額に限定されることはない。例えば、懸賞の応募数やアンケートの回収数等を成果として採用することもできる。
広告成果は、バナー広告を介して表示した広告ホームページから発注があった場合等を計数することにより行うことができる。
上記全成果算出行程は、上記バナー広告を掲載したすべての広告掲載ホームページの成果を積算することにより行われる。例えば、上記バナー広告を介して表示された広告ホームページから発注された商品等の数量や売上額を積算することにより行われる。
上記広告報酬総額算出行程は、バナー広告費用として各ホームページ所有者に分配される金額の総額を求めるものである。上記広告報酬総額は、バナー広告の上記全成果に比例して算出することもできるし、一定の基本料金と上記全成果に比例する部分とを組み合わせて算出することもできる。広告報酬総額を成果に比例するように設定することにより、多数の不正クリックがあった場合でも広告主に不利益が生じることはない。また、広告主が支払う広告費用からシステム運用費用を差し引いた部分を、上記広告報酬総額として設定することができる。
請求の範囲３に記載した発明は、上記成果に基づいて各広告掲載ホームページの成功報酬を算出する成功報酬算出行程を含み、上記成功報酬を上記広告報酬に加算して計上するバナー広告方法である。
バナー広告のクリック数に応じた広告報酬のみでは、成果のあった広告掲載ホームページであっても、クリック数が少ないと広告報酬が極めて低くなる場合がある。このような場合、この広告掲載ホームページの所有者に不利となる。したがって、売上等の成果があった広告掲載ホームページに対して、広告報酬に成功報酬を加味することにより、広告主が支払う広告費用を公正に分配することが可能となる。また、不正クリックを抑止しながら、より効果のある広告ホームページを募集することが可能となり、バナー広告による効果をさらに高めることができる。
上記成功報酬算出行程は、成果のあった広告掲載ホームページに対して、上記成果に応じた成功報酬を計上する。例えば、商品単価の数パーセントに商品販売数量を掛けて成功報酬を計上するように構成することができる。
請求の範囲４に記載した発明は、上記広告対象が販売を目的とする商品又は役務に関するものであって、上記成果が上記商品又は役務の販売数量及び／又は販売額として計数されるとともに、上記広告報酬総額が上記販売数量及び／又は販売額に基づいて算出されるものである。
請求の範囲５に記載した発明は、上記広告ホームページからリンクして表示される注文ページを設け、上記注文ページを介して上記商品又は役務の注文を行うとともに上記成果の計数を行うバナー広告方法である。上記注文ページを管理することにより、成功報酬等の算出を容易に行うことが可能となる。
上記注文ページを管理する者は特に限定されることはない。例えば、ショッピングモール運営者がショッピングモール運営サーバを用いて、上記注文ページを管理することができる。また、インターネット上の別個のシステム運用サーバによって上記注文ページを管理することにより、上記ショッピングモール運営者以外の者が、本願発明に係るバナー広告システムを運営することもできる。
請求の範囲６に記載した発明は、上記注文ページから注文があった場合に、上記広告掲載ホームページの所有者に対する所定の成功報酬を計上するバナー広告方法である。広告掲載ホームページの所有者に成功報酬を計上することにより、広告掲載ホームページの募集を容易に行うことができる。また、広告報酬に加えて成功報酬を設定することにより、より効果のある広告掲載ホームページを差別化して優先的にバナー広告を掲載することも可能となる。
請求の範囲７に記載した発明は、上記広告ホームページ及び／又は上記広告掲載ホームページが、インターネット上のショッピングモールを構成する商品ホームページである場合に、本願発明を適用したものである。
ショッピングモールに商品ホームページを設けて商品を売買することは多いが、ショッピングモールの宣伝体制が十分ではなく、顧客を集めることができない場合がある。本願発明に係るバナー広告を利用することにより、上記商品ホームページを閲覧する顧客を増加させることが可能となる。
上記広告ホームページ及び上記広告掲載ホームページの所属は特に限定されることはない。上記広告ホームページ及び上記広告掲載ホームページとして、同一のショッピングモールに属する商品ホームページを採用することができる。同一のショッピングモールに属する関連商品のホームページに互いにバナー広告を掲載することにより、目的の商品を容易にみつけることが可能となる。また、同一あるいは類似する商品に関するホームページにバナー広告を掲載すると、顧客は多数の商品を比較しながらショッピングを行うことが可能となり、ショッピングモールを利用しやすくなる。
また、特定のショッピングモールに属する広告ホームページのバナー広告を、上記ショッピングモールに属さない種々のホームページに掲載して、商品の販売促進を図ることもできる。また、ショッピングモールに属さない広告ホームページに係るバナー広告を、ショッピングモールに属する商品ホームページに掲載することもできる。例えば、新商品についての市場調査を行う目的の場合等に効果が期待できる。
請求の範囲８に記載した発明は、上記広告対象が情報収集を目的とするものであり、上記広告報酬及び／又は上記成功報酬を計上するとともに、情報提供者に対する協力報酬を計上するバナー広告方法である。例えば、市場調査等を目的としたアンケートの収集がこれにあたる。この場合、広告掲載ホームページの所有者に対して上記広告報酬及び／又は上記成功報酬を計上して支払うとともに、情報提供者に対する協力報酬を計上して支払うように設定できる。
請求の範囲９から請求の範囲１２に記載した発明は、インターネット上で行われるオークションに本願発明を適用したものである。
オークションは商品取引の一態様であり、多数の入札者を集めることが重要である。本願発明に係るバナー広告方法を適用することにより、入札者を増加させてオークションにおける取引を活性化することが可能となる。
請求の範囲９に記載した発明は、インターネット上で行われるオークションに出品される出品物の広告を行うインターネットオークションにおけるバナー広告方法であって、上記出品物を掲載する出品物ホームページ及びこの出品物ホームページにリンクして表示される入札ページを設けるとともに、上記出品物ホームページにリンクされたバナー広告を、上記オークションに属する他の出品物ホームページ及び／又は上記オークションに属さない広告掲載ホームページに掲載するバナー広告方法である。
従来、オークションに係る出品物の広告を行うことはほとんどなく、広く入札者を集めることは困難であった。このため、入札期間を経過しても入札者がない場合も多かった。また、顧客は、多数の出品物の中から目的とする商品を探すことが困難であった。さらに、同一あるいは類似する出品物を比較しながら入札を行うことはできなかった。
本願発明では、あるオークション出品物に係るバナー広告を、他のホームページに掲載することができる。例えば、バナー広告対象の出品物と同一あるいは類似する他の出品物のホームページに上記バナー広告を掲載すると、上記バナー広告を介して同一あるいは類似する出品物のホームページを行き来しながら入札を行うことが可能となる。したがって、インターネット上のオークションシステムの使い勝手が格段に向上する。また、オークションにおける取引を活性化することができる。また、自己の出品物に係るバナー広告を、上記オークションに属さない広告ホームページに掲載して、出品物に係るオークションが開催されていることを広く知らしめることが可能となる。
オークションの出品物に係る複数の出品物ホームページに、相互にバナー広告を掲載した場合には、広告主としての広告費用と、広告掲載ホームページの広告報酬とを相殺して、出品者が広告費用を負担することなく本願バナー広告システムを運用することができる。
もちろん、請求の範囲１０に記載した発明のように、バナー広告に対する広告報酬を支払うように構成することもできる。
請求の範囲１０に記載した発明は、各出品物ホームページに掲載された上記バナー広告の入札期間内のクリック数を計数するクリック数計数行程と、上記バナー広告を掲載したすべての出品物ホームページにおける上記クリック数を積算して総クリック数を求める総クリック数算出行程と、上記バナー広告に対する広告報酬総額を、上記総クリック数で除して、１クリック当たりのクリック報酬単価を求めるクリック報酬単価算出行程と、各出品物ホームページの上記クリック数と上記クリック報酬単価とを掛け合わせて、各出品物ホームページの上記バナー広告に対する広告報酬を算出する広告報酬算出行程とを含んで構成される。
上記クリック数計数行程、上記総クリック数算出行程、クリック報酬単価算出行程及び広告報酬算出行程は、請求の範囲１に記載した発明と同様に行われる。また、落札者の決定等は、従来のオークションと同様に行われる。
上記方法を採用することにより、上述した発明と同様に、広告報酬目的の不正クリックを抑止し、広告報酬の適正化を図ることができる。また、出品物ホームページへの来訪者が増加するため、入札者も増加し、出品物が落札される可能性も高まる。
請求の範囲１１に記載した発明は、上記バナー広告を介して閲覧された出品物ホームページからの入札によって出品物が落札された場合、上記バナー広告を掲載したホームページに対する落札報酬を計上するバナー広告方法でである。
落札に寄与したバナー広告に対して落札報酬を支払うことにより、自己の出品物が落札されない場合でも上記報酬が得られる。このため、出品者の負担を大幅に軽減することができるとともに、多数の出品者を獲得することもできる。したがって、オークションを活性化することができる。なお、上記落札報酬を、請求項１０に記載した広告報酬に加えることもできる。
請求の範囲１２に記載した発明は、各出品物ホームページに掲載されたバナー広告を、所定の間隔で他のバナー広告と入れ換えるバナー広告方法である。バナー広告を入れ換える間隔は特に限定されることはない。例えば、所定の日数ごとに入れ換えることもできるし、バナー広告の所定のクリック数ごとに入れ換えることもできる。
バナー広告を入れ換えることにより、広告効果の均一化を図ることができる。また、オークション参加者の興味を高めることも可能となり、各出品物ホームページの閲覧回数を増加させることができる。さらに、入札者が増加するため、出品物が落札される可能性を高めることもできる。
請求の範囲１３に記載した発明は、広告対象に係るバナー広告を掲載する２以上の広告掲載ホームページと、上記バナー広告をクリックすることによりリンクして閲覧できるとともに広告対象を掲載した広告ホームページとをインターネット上に設け、上記バナー広告のクリックを介して上記広告ホームページが閲覧されることに対する広告報酬を計上するバナー広告システムであって、各広告掲載ホームページに掲載されたバナー広告の所定期間内のクリック数を計数できるクリック数計数手段と、すべての広告掲載ホームページについての上記クリック数を積算して総クリック数を求める総クリック数算出手段と、上記バナー広告に対する広告報酬総額を、上記総クリック数で除して、１クリック当たりのクリック報酬単価を求めるクリック報酬単価算出手段と、各広告掲載ホームページの上記クリック数と上記クリック報酬単価とを掛け合わせて、各広告掲載ホームページの上記バナー広告に対する広告報酬を算出する広告報酬算出手段とを備えて構成されるものである。
請求の範囲１４に記載した発明は、各広告掲載ホームページの上記バナー広告を介して得られる広告成果を計数する成果計数手段と、すべての広告掲載ホームページについての上記成果を積算して全成果を算出する全成果算出行程と、上記広告報酬総額を、上記全成果に基づいて算出する広告報酬総額算出手段を備えて構成されるバナー広告システムである。
請求の範囲１５に記載した発明は、上記成果に基づいて各広告掲載ホームページの成功報酬を算出する成功報酬算出手段を備えて構成されるバナー広告システムである。
請求の範囲１６に記載した発明は、上記成果計数手段が、上記広告ホームページからリンクして表示される注文ページを介して成果を計数するように構成したバナー広告システムである。
請求の範囲１７に記載した発明は、上記バナー広告及び／又は上記注文ページを自動的に作成する自動作成手段を備えるバナー広告システムである。
請求の範囲１８に記載した発明は、各出品物について設けられる出品物ホームページと、上記出品物ホームページにリンクされた入札ページを有する入札手段と、落札者を決定する落札手段とを備えるインターネットオークションにおけるバナー広告システムであって、上記出品物ホームページにリンクされるとともに、上記オークションに属する他の出品物ホームページ及び／又は上記オークションに属さない広告掲載ホームページに掲載されるバナー広告を設けて構成されるバナー広告システムである。
請求の範囲１９に記載した発明は、各ホームページに掲載されたバナー広告の所定期間内のクリック数を計数できるクリック数計数手段と、すべてのホームページについての上記クリック数を積算して総クリック数を求める総クリック数算出手段と、上記バナー広告に対する広告報酬総額を、上記総クリック数で除して、１クリック当たりのクリック報酬単価を求めるクリック報酬単価算出手段と、各ホームページの上記クリック数と上記クリック報酬単価とを掛け合わせて、各バナー広告に対する広告報酬を算出する広告報酬算出手段とを備えるインターネットオークションにおけるバナー広告システムに関するものである。
請求の範囲２０に記載した発明は、上記広告報酬総額を、落札された物品の価格及び／又は数量に基づいて算出する、広告報酬総額算出手段を設けたインターネットオークションにおけるバナー広告システムに関するものである。
請求の範囲２１に記載した発明は、上記落札された出品物の価格及び／又は数量に基づいて、バナー広告を掲載したホームページの成功報酬を算出する成功報酬算出手段を備えるインターネットオークションにおけるバナー広告システムに関するものである。
請求の範囲２２に記載した発明は、上記出品物に関するバナー広告を自動的に作成する、バナー広告自動作成手段を備えるインターネットオークションにおけるバナー広告システムに関するものである。
バナー広告の構成は極めて簡単である。したがって、所定のパターンの中から広告主が選択できるように構成したり、広告主が自分で作成して登録できるように構成することにより、バナー広告掲載ホームページを容易に確保することができる。特に、広告主が商品ホームページを所有している場合、バナー広告のみを作成すれば足りるため、システムの運営も容易になる。
請求の範囲２３に記載した発明は、バナー広告に係る出品物と所定の関係にあるホームページを自動的に選定して上記バナー広告を掲載するバナー広告掲載手段を備えるインターネットオークションにオケルバナー広告システムに関するものである。
請求の範囲２４に記載した発明は、上記出品物ホームページ及び／又は入札ページをを自動的に作成するホームページ作成手段を備えるインターネットオークションにおけるバナー広告システムに関するものである。
上記出品物ホームページ及び／又は上記入札ページを自動的に作成するように構成することにより、オークションの申込みからバナー広告掲載までの期間を短縮することが可能となり、作業効率を高めることができる。
請求の範囲２５に記載した発明は、複数の出品物ホームページから構成されるインターネットオークションにおいて、各出品物ホームページに掲載されたバナー広告を他のバナー広告と所定期間ごとに入れ換えるバナー広告入替え手段を備えるインターネットオークションにおけるバナー広告システムに関するものである。
請求の範囲２６に記載した発明は、上記バナー広告に関する出品物が落札されたとき又は出品期間が経過したとき、上記出品物ホームページ及び上記バナー広告の削除と、他の出品物係るバナー広告への入替えを自動的に行うバナー広告更新手段を備えるインターネットオークションにおけるバナー広告システムに関するものである。
発明を実施するための最良の形態
第１図から第５図に、本願発明の第１の実施の形態を示す。この実施の形態は、本願発明をインターネットを用いた一般的な商品取引におけるバナー広告システムに適用したものである。
第１図に、バナー広告システムの概要を示す。顧客１は、商品のバナー広告２を掲載した広告掲載ホームページ３ａ〜３ｅを閲覧する。第１図には、限定された数の顧客１及び広告掲載ホームページ３ａ〜３ｅを描いてあるが、上記顧客の数及び上記広告掲載ホームページの数は限定されることはない。
上記広告掲載ホームページ３ａ〜３ｅを閲覧した顧客のうち何人かは、閲覧したホームページに掲載された上記バナー広告２をクリックして、商品広告を掲載した商品ホームページ４を閲覧する。そして、上記商品ホームページ４を閲覧した顧客のうち何人かは、商品ホームページにリンクされた注文ページ１１を介して上記商品の購入を申し込む。
第２図に、本システムの構成の概要を示す。本実施の形態に係るバナー広告システムは、商品ホームページ４を所有する広告主６と、端末装置７からインターネットを利用してホームページを閲覧する顧客１と、バナー広告２を掲載する広告掲載ホームページ３を所有するホームページ所有者８と、システムデータベースサーバ５を所有するシステム運営者１０との間におけるバナー広告システムに関するものである。
上記広告主６は、契約等で定める期間のバナー広告費用として、商品の販売数量又は販売額に応じた広告費用を上記システム運営者１０に支払う。システム運営者１０は、上記広告費用から運営手数料を差し引いた部分を上記バナー広告に対する広告報酬総額とし、この広告報酬総額を各広告掲載ホームページ３の所有者８に分配する。
本実施の実施の形態では、商品は広告主６から顧客１に直接送付されるとともに、商品対価が顧客１から広告主６に直接支払われる。なお、商品の送付方法、対価の支払い方法等は本実施の形態に限定されることはない。例えば、商品の発送をシステム運営者が代行することもできる。また、上記顧客１と上記広告主６の間の決済、上記システム運営者１０と上記ホームページ所有者８の間の決済を金融機関を介在させて行うことができる。
上記広告主６は、上記商品ホームページ４に販売しようとする商品の画像や説明を掲載し、顧客１の注文に応じて商品を販売する。上記商品ホームページ４には、注文ページ１１がリンクされており、商品ホームページ４に掲載された商品を上記注文ページ１１から発注できる。
上記広告掲載ホームページ３として種々のホームページを採用できる。これらホームページ３の所有者８は、広告報酬を得る目的で、自己のホームページ上に上記バナー広告２を掲載する。本願発明では、上記広告掲載ホームページ３及びその所有者８は、第１図に示すように、少なくとも２以上存在することを前提としている。
上記システム運営者１０は、本バナー広告システムを運営する主体であり、システムデータベースサーバ５を用いて本バナー広告システムを管理運営する。
第３図に、上記システムデータベースサーバ５の構成の概要を示す。上記システムデータベースサーバ５は、上記各広告掲載ホームページ３のバナー広告２がクリックされた回数を計数できるクリック数計数手段１２と、すべての広告掲載ホームページ３ａ〜３ｅについて上記バナー広告２の上記クリック数をたしあわせて総クリック数を算出できる総クリック数算出手段１３と、上記商品ホームページ４の上記バナー広告２に対する報酬総額を算出する広告報酬総額算出手段１４と、バナー広告１クリック当たりのクリック報酬単価を算出するクリック報酬単価算出手段１５と、各広告掲載ホームページ３ａ〜３ｅのバナー広告２に対する広告報酬を算出する広告報酬算出手段１６とを備える。上記各手段は、各広告掲載ホームページ所有者８に支払われる報酬を算出するために設けられるものであり、上記各機能を果たすプログラムの形態でサーバ内に格納されている。
また、上記システムデータベースサーバ５には、本バナー広告システムを運営するための種々の管理手段も格納されている。実施の形態では、各ホームページ３ａ〜３ｅに掲載されたバナー広告を管理できるバナー広告管理手段１７と、商品ホームページ４を管理する商品ホームページ管理手段１８と、上記商品ホームページ４からリンクして表示される注文ページ１１を管理する注文ページ管理手段１９とを備えて構成される。
さらに、上記各手段を機能させるための種々のデータを格納したデータベースが設けられている。実施の形態では、あらかじめ設定された成功報酬等の数値を格納した報酬データベース２０と、計数あるいは算出した上記クリック数等を格納できるクリック情報データベース２１が設けられている。なお、実施の形態では、商品販売数量又は販売額に応じた運営手数料がシステム運営者１０に支払われるように設定している。
第４図に、本実施の形態に係るバナー広告システムのフローチャートの一例を示す。上記システム運営者１０に商品広告を申し込み（Ｓ１０１）、広告期間、広告報酬等についての契約を締結する（Ｓ１０２）。本実施の形態では、第５図に示すように、広告に係る商品の１個当たりの販売価格の何パーセントかを商品１個当たりの広告報酬Ｓとして設定し、商品販売数量と上記広告報酬Ｓとを掛け合わせることにより、広告報酬総額を決定する。例えば、第５図に示すように、５個の商品が販売された場合の広告報酬総額は、５×Ｓとなる。
また、図示はしないが、システム運営者１０には、販売数量又は販売額に応じた運営者報酬を支払うこととしている。なお、広告報酬総額及びシステム運営者の報酬の算出方法は特に限定されることはなく、種々の手法を採用できる。
次に、商品ホームページを作成するか否かが判断される（Ｓ１０３）。商品ホームページが既に作成されている場合には、その商品広告掲載ホームページを利用してシステムを構成することができる。一方、商品ホームページがまだ作成されていない場合には商品ホームページを作成し（Ｓ１０４）、システムデータベースサーバ５が商品ホームページ４を管理する。なお、すべての商品ホームページを新たに作成して、管理するように構成してもよい。
本実施の形態では、上記商品ホームページにリンクして閲覧できる注文ページ１１を作成する（Ｓ１０５）。上記注文ホームページ１１は、上記システムデータベースサーバ５によって管理され、上記バナー広告２を介して販売された商品の種類、数量等の計数及び管理を行うように構成している。
次に、上記商品ホームページ４にリンクされるバナー広告２を作成する（Ｓ１０６）。上記バナー広告２の形態は特に限定されることはなく、絵柄と文字とを組み合わせて構成することもできるし、文字のみで構成することもできる。さらに、動画を採用することもできる。
次に、各広告掲載ホームページ３に上記バナー広告２を掲載する（Ｓ１０７）。上記広告掲載ホームページは、あらかじめインターネット等を通じて募集したものであり、ホームページの内容と広告対象の商品等を勘案して、順次バナー広告を掲載する。
上記商品ホームページ４、上記注文ページ１１及びバナー広告３の作成を自動的に行う手段を設けることができる。上記商品ホームページ等を自動的に作成することにより、本広告システムを容易に管理運営することができる。
顧客１が上記広告掲載ホームページ３を閲覧して、上記バナー広告２をクリックすると（Ｓ１０８でＹ）、上記クリック情報がシステムデータベースサーバに出力されてクリック数が計数され、クリック情報データベースに格納される（Ｓ１０９）。
上記バナー広告２をクリックすることにより、上記商品ホームページ４が顧客端末装置７に表示され、顧客１によって閲覧される（Ｓ１１０）。上記商品ホームページ４を閲覧した顧客１が、注文ページ１１を介して商品を購入すると（Ｓ１１１でＹ）、商品購入情報がシステムデータベースサーバーに出力され、購入商品数等がカウントされるとともにデータベースに格納される（Ｓ１１２）。
上記バナー広告２は、所定の広告期間単位で掲載される。広告期間が終了するまで、上記クリック情報及び上記商品購入情報がカウントされる（Ｓ１１３でＮ）。
広告期間が終了すると（Ｓ１１３でＹ）、広告報酬総額が算出される（Ｓ１１４）。第５図に示すように、本実施の形態では、商品販売数量と商品１個当たり広告報酬Ｓを掛け合わせた額が、広告報酬総額とされる。
次に、上記バナー広告を掲載したすべての広告掲載ホームページ３ａ〜３ｅについて、上記クリック数を積算して総クリック数が算出される（Ｓ１１５）。そして、上記広告報酬総額を上記総クリック数で除して、クリック報酬単価が算出される（Ｓ１１６）。次に、上記クリック報酬単価と、各広告掲載ホームページにおけるクリック数とを掛け合わせて、各広告掲載ホームページに対する広告報酬が算出される（Ｓ１１７）。このようにして算出された上記広告報酬が広告掲載ホームページ所有者に支払われる。一方、シテスム運営者の報酬も上述した手法によって算出される（Ｓ１１８）。
その後、バナー広告を継続して掲載するかどうかが判断され、継続する場合には（Ｓ１１９でＹ）、上述した行程が繰り返される。本実施の形態では、バナー広告が一回もクリックされなかった場合は、上記広告報酬は発生しないように設定している。一方、バナー広告の掲載を継続しない場合には（Ｓ１１９でＮ）、上記バナー広告が削除される（Ｓ１２０）。
上記クリック報酬単価は、商品販売数量及びバナー広告の総クリック数に連動して決定される。第５図に示すように、上記総クリック数には、商品を購入しなかった否購入クリック数Ｎ１と、商品を購入した商品購入クリック数Ｎ２と、クリック数のみ稼ぐために行われた不正クリック数Ｎ３が含まれる。このため、固定されたクリック報酬単価にクリック数を掛け合わせて広告報酬が支払われるクリック報酬型のバナー広告システムに比べて不正クリック数の影響が極めて少なくなる。したがって、不正クリックを抑止する効果を期待できる。
一方、商品広告主６は、システム運営者１０に対して成果に応じた広告費用を支払えばよいため、不正クリックが発生しても不利益はない。なお、実施の形態では、商品販売数量に応じた運営手数料を得るように構成したが、システム運営者の報酬はこれに限定されることはない。
第６図から第９図に、本願発明の第２の実施の形態を示す。この実施の形態は、本願発明に係るバナー広告方法をインターネット上のショッピングモールに適用した例である。
インターネット上のショピングモールは、オンラインショッピングができるネット上の店舗を、百貨店や商店街のように一つに集めたものである。ショッピングモールには、豊富な商品とその情報がそろっており、同じ商品でも価格や質を比較して選ぶことができる。したがって、同一のショッピングモールに属する商品ホームページに関連する商品のバナー広告を掲載することにより、消費者に提供する情報量を格段に増やすことが可能となり、ショッピングモールの機能をより高めることができる。
一方、自己の商品と同一あるいは類似する他人の商品のバナー広告を掲載すると、自己のホームページにおいて競合製品の宣伝を行うことになる。しかしながら、互いにバナー広告を掲載することにより、自己のバナー広告がクリックされて商品ホームページが閲覧される頻度も高まり、自己の商品の販売促進につながる。
第６図に本実施の形態に係るショッピングモールの概要を示す。本実施の形態では、ショピッグモール２０１は、商品ホームページ２０４ａ〜２０４ｅで構成されている。上記各商品ホームページは、商品ａ〜商品ｅに関する情報が表示されている。また、上記各商品ホームページ２０４ａ〜２０４ｅには、同一あるいは類似する他人の商品のバナー広告、すなわちバナー広告２０２ａ〜２０２ｅがそれぞれ掲載されている。商品の購入は、上記各商品ホームページにリンクされた注文ページ２１１を用いて行うように構成されている。なお、第６図には、一つの上記注文ページ２１１のみ示しているが、実際には、各商品ホームページにリンクされた注文ページが設けられている。本実施の形態に係る上記商品ホームページ２０４ａ〜２０４ｅ及び上記注文ページ２１１は、システムデータベースサーバ２０５内に構築されている。
第７図に、第６図における商品ホームページ２０４ａと商品ホームページ２０４ｂを注出し、商品ホームページ２０４ｂに掲載された商品ａに係るバナー広告を介して商品ａが購入された場合のシステム例を示す。
第７図では、商品ａを販売する出品者２０６と、商品ｂを販売する出品者２０８と、システムデータベースサーバ２０５を所有するショッピングモール運営者２１０と、端末装置２０７を介してショッピングモール内の各商品ホームページを閲覧する顧客１の間におけるバナー広告システムが示されている。
顧客１は、端末装置２０７から各商品ホームページ２０４ａ，２０４ｂを閲覧して、希望の商品が見つかった場合に注文ページ２１１ａ，２１１ｂを介して商品を購入する。上記各商品ホームページ２０４ａ，２０４ｂは、出品者２０６の商品ａ及び出品者２０８の商品ｂに関するものであり、商品の画像、説明等が表示されている。
上記商品ホームページ２０４ａ，２０４ｂには、バナー広告２０２ｃ、２０２ａがそれぞれ掲載されている。上記バナー広告をクリックすることにより、対応した商品ホームページにリンクされるように構成されている。したがって、上記バナー広告を介して、各商品ホームページ間を行き来することができる。
商品の出品者２０６，２０８は、ショッピングモール運営者２１０に、ショッピングモール参加費を支払う。商品ａが販売された場合、商品ａの出品者２０６は、上記ショッピングモール参加費に加えて商品販売成功報酬を支払う。
一方、上記ショッピングモールの運営者２１０は、上記出品者２０６，２０８に、バナー広告２０２ａ，２０２ｃのクリック数に応じてバナー広告報酬を支払う。なお、上記出品者２０６，２０８と顧客との取引形態は、第１の実施の形態と同様であるので説明は省略する。
従来のショッピングモールでは、来訪した顧客が希望の商品をみつけやすいように、検索エンジン等を整備していた。しかしながら、同一・類似製品のホームページを開くには、商品を分類した目次ページまでもどったり、検索用のキーワード等を入力する必要があった。
本実施の形態では、閲覧した商品ホームページに同一あるいは類似商品のバナー広告が掲載されているため、商品の比較を極めて容易に行うことができる。また、類似あるいは関連商品に直接リンクされているため、使い勝手が格段に向上する。
第８図及び第９図のフローチャートに基づいて、上記構成のショッピングモールにおけるバナー広告方法を説明する。
出品者がショッピングモールに出品を申し込むと（Ｓ２０１）、出品契約が締結される（Ｓ２０２）。出品契約には、ショッピングモール参加費、商品販売成功報酬、バナー広告報酬、ショッピングモール運営者報酬等の算出方法等が含まれる。
出品契約が完了すると、商品ホームページ及び注文ホームページが作成されて、閲覧可能状態におかれる（Ｓ２０３、Ｓ２０４）。本実施の形態では、出品者２０６及び出品者２０８が、商品ａ及び商品ｂの画像や説明等の商品情報を、インターネットを介して上記シスタムデータベースに送ることにより、上記商品ホームページ及び注文ホームページが自動的に作成されるように構成している。
また、バナー広告が作成されて（Ｓ２０５）、他の商品ホームページに掲載される（Ｓ２０６）。上記バナー広告を掲載するホームページは、商品の特性等に応じて関連する商品のホームページに掲載される。
いずれかの商品ホームページにおける上記バナー広告がクリックされると（Ｓ２０７でＹ）、クリック情報がシステムデータベースサーバ２０５に出力されてクリック数がカウントされる（Ｓ２０８）。また、上記バナー広告に対応した商品ホームページが閲覧される（Ｓ２０９）。
上記閲覧された商品ホームページの商品を注文ページ２１１を介して注文すると、商品購入情報がシステムデータベースサーバに出力され、購入商品がカウントされるとともに、販売数量等の情報がデータベースに格納される（Ｓ２１１）。
予定販売期間が終了するか（Ｓ２１２でＹ）、あるいは予定販売数量が終了した場合（Ｓ２１３でＹ）、広告報酬等の精算にとりかかる。予定販売期間が終了せず（Ｓ２１２でＮ）、かつ予定販売数量が終了しない場合は（Ｓ２１３でＮ）、商品ホームページが閲覧可能状態におかれ、また、バナー広告の掲載が継続される。
第９図に示す精算手続に入ると、商品販売数量に対応した広告報酬総額及びショッピングモール運営者報酬が算出される（Ｓ２１４、Ｓ２１５）。また、第１の実施の形態と同様に、総クリック数が算出され（Ｓ２１６）、上記広告報酬総額を上記総クリック数で除してクリック報酬単価が算出される（Ｓ２１７）。そして、上記クリック報酬単価と各広告掲載ホームページにおけるクリック数が掛け合わされて各商品ホームページについてのバナー広告報酬が算出される（Ｓ２１８）。
上記精算手続が完了後、出品を継続するか否かが判断される（Ｓ２１９）。継続する場合には（Ｓ２１９でＹ）、バナー広告、商品ホームページの掲載が継続される。一方、出品を取り止める場合には（Ｓ２１９でＮ）、商品ホームページ及びバナー広告が削除される（Ｓ２２０）。
本実施の形態に係るショッピングモールでは、同一あるいは類似の商品や、関連商品を比較しながらショッピングを行うことが可能となる。また、嗜好が同様な商品をまとめて比較することも可能となり、ショッピングモールの機能を格段に高めることも可能となる。
一方、出品者は、自己の商品をバナー広告を利用して宣伝できるため、商品ホームページの閲覧者を格段に増加させることが可能となる。しかも、バナー広告に対する広告費用を商品販売数量に比例するように設定することにより、出品者の広告費用が大きくなることもない。さらに、自己の商品ホームページに掲載したバナー広告に対する報酬が期待できるため、商品の出品者を増加させることができる。
第１０図に本願発明の第３の実施の形態を示す。この実施の形態は、ショッピングモールの運営者と、バナー広告のシステム運営者が別の場合の例である。なお、広告報酬等の算出は、第２の実施の形態と同様であるので説明は省略する。
ショッピングモール３０１内の商品ホームページ３０４ａ，３０４ｂ，３０４ｃに関するバナー広告３０２が、ショッピングモール３０１以外のホームページ３０３に掲載されている。
システム運営者は、上記バナー広告３０２を作成するとともに上記ホームページ３０３に掲載して管理し、クリック情報等を収集する。また、システムデータベースサーバ３０５内に、上記各商品ホームページの注文ページ３１１ａ，３１１ｂ，３１１ｃを設けて商品販売情報等を収集する。
上記構成を採用することにより、ショッピングモール３０１以外の多数のホームページ３０３を利用して商品の広告をすることが可能となり、ショッピングモールに出品した商品の販売促進を図ることができる。
第１１図から第１５図に、本願発明の第４の実施の形態を示す。この実施の形態は、本願発明をインターネットオークションシステムに適用したものである。
システムデータベースサーバ４０５内にオークションシステムを構築し、各出品物の画像、説明等を掲載した出品物ホームページ４０３ａ〜４０３ｅが設けられる。上記各出品物ホームページには、他のオークション出品物のバナー広告４０２ａ〜４０２ｅが掲載されている。上記バナー広告に係る出品物は、出品物ホームページに掲載された出品物と同一あるいは関連する出品物を選択するのが好ましい。第１１図では、各出品物ホームページ４０３ａ〜４０３ｅにそれぞれ一つのバナー広告４０２ａ〜４０２ｅを掲載しているが、実際には、第１５図に示すように、各出品物ホームページには複数のバナー広告が掲載されており、これらバナー広告に係る出品物ホームページと行き来しながらオークションの出品物を比較することが可能となる。
第１２図に、出品者が２人の場合における上記オークションシステムの構成を示す。オークション運営者４１０は、システムデータベースサーバ４０５を所有し、上記システムデータベースサーバ４０５内に、各出品物ホームページ、入札ページ等を構築して、オークションを運営する。
出品者４０６，４０８は、インターネットを介して上記データベースサーバ４０５に出品物の出品を申し込む。上記出品物の出品は、出品物の画像、説明等をインターネットを介して送付することにより、上記出品物ホームページ、入札ホームページ等が自動的に作成されるように構成されている。
顧客１は、コンピュータ等の端末装置４０７から各出品物ホームページを閲覧する。各出品物ホームページのバナー広告４０２ａ，４０２ｂをクリックすると、バナー広告に対応した出品物ホームページを閲覧できる。
上記出品者４０６，４０８は、上記オークション運営者４１０にオークション参加費を支払う。また、出品物が落札された場合には出品物落札報酬を支払う。上記オークション運営者４１０は、上記出品者４０６，４０８に、落札された出品物に係るバナー広告のクリック数に応じたバナー広告報酬を支払う。上記出品者と顧客との間における出品物の引き渡しと対価の決済は、従来と同様に行われる。
第１３図に示すように、上記システムデータベースサーバ４０５には、上記バナー広告のクリック数を計数するクリック数計数手段４１２と、各出品物ごとのバナー広告の総クリック数を積算する総クリック数算出手段４１３と、落札価格に基づいて広告報酬を算出する広告報酬算出手段４１４と、上記広告報酬を総クリック数で除してクリック報酬単価を算出するクリック報酬単価算出手段４１５と、各出品物ホームページの各バナー広告ごとのクリック数に上記クリック報酬単価を掛け合わせて各ホームページの広告報酬を算出する広告報酬算出手段４１６とが設けられている。なお、実際には、一つの出品物ホームページには複数のバナー広告が掲載されているため、落札された出品物それぞれについて上記計算が行われ、各ホームページについての広告報酬が算出される。上記各手段は、プログラムの形態でシステムデータベースサーバ内に格納される。
また、上記システムデータベースサーバ４０５には、バナー広告管理手段４１７、出品物ホームページ管理手段４１８、入札ページ管理手段４１９、入札管理決定手段４２０が設けられている。
さらに、上記各手段を機能させるために、契約段階で決定された広告報酬算出法等の報酬データベース４２１、クリック情報データベース４２２及び入札情報データベース４２３が設けられている。
第１４図に、本実施の形態に係るオークションシステムの運営手順を示す。
出品者４０６、４０８はオークションの申込みを行い（Ｓ４０１）、オークションに関する契約を締結する（Ｓ４０２）。上記契約には、参加費用、落札報酬等の支払い方法等が含まれる。
契約が締結された後、出品物ホームページ、バナー広告及び入札ページが作成される（Ｓ４０３）。その後、上記出品物ホームホームページが閲覧可能状態におかれるとともに、バナー広告が他の出品物ホームページに掲載される（Ｓ４０４）。
例えば、顧客１が、端末装置４０７から上記出品物ホームページ上に掲載されたバナー広告４０２ａをクリックすると、クリック情報がデータベースに出力されてクリック数がカウントされる（Ｓ４０６）。また、バナー広告に係る出品物ホームページ４０３ａがリンクされて閲覧される（４０７）。
顧客は、上記バナー広告を利用して、同一・類似出品物あるいは関連出品物に係る複数の出品物ホームページを行き来し、所望の出品物ａがあると、出品物ホームページ４０３ａからリンクして表示される入札ページ４１１を介して入札をおこなう（Ｓ４０８）。入札が行われると、入札価格等の情報がデータベースに出力されて格納される（４０９）。
上記入札は、所定の入札期間内に行われ、入札期間が終了すると（Ｓ４１０でＹ）、上記入札管理決定手段４２０によって、最高値で入札した顧客が上記出品物を落札する（Ｓ４１１）。なお、落札手順等は、従来のシステムと同様であるので説明は省略する。
出品物が落札されると、複数の出品物ホームページに掲載された上記バナー広告の総クリック数が算出され（Ｓ２１２）、出品物落札報酬から拠出されたバナー広告費用が、上記総クリック数で除されて、バナー広告のクリック報酬単価が算出される（Ｓ４１３）。そして、上記クリック報酬単価に上記バナー広告を掲載した各ホームページにおけるクリック数が掛け合わされて、各広告掲載ホームページの当該出品物に係る広告報酬が算出される（Ｓ４１４）。落札された出品物が複数ある場合には、落札された各出品物に係る広告報酬が算出されるとともに、これらを足し合わせて落札出品物全体の広告報酬が算出される。
出品物ホームページ４０３に掲載されるバナー広告４０２は、第１６図に示すように、オークション期間中、所定の間隔で入れ換えていくように構成するのが望ましい。これにより、より多数の関連出品物を比べて入札することが可能となり、オークションに参加しやすくなる。
出品物の落札によって、出品物ホームページ、バナー広告及び入札ページは削除される（Ｓ４１６）。その後、新たな出品物に係る新規バナー広告が、上記各ホームページに挿入される（Ｓ４１７）。
入札期間が終了しても出品物が落札されない場合には（Ｓ４１１でＮ）、入札期間を延長するかどうかが判断され、入札期間が延長されると（Ｓ４１５でＹ）、出品物ホームページ等は継続して掲載される。一方、入札期間を延長しない場合には（Ｓ４１５でＮ）、出品物ホームページ等が削除されて（Ｓ４１６）、当該出品物に係るオークションは終了し、新規の出品物に係る出品物ホームページ、新規バナー広告等が挿入される（Ｓ４１７）。第１７図に示すように、新たな出品物に係るバナー広告は、上記システムデータベースサーバ４０５内に格納されており、各出品物ホームページにおける上記バナー広告の削除と新たなバナー広告の挿入が自動的に行われるように構成されている。
本願発明は上述した実施の形態に限定されることはない。実施の形態では、広告掲載ホームページの所有者に対して、バナー広告に対する広告報酬と、商品販売等に係る成功報酬を支払うように設定したが、上記各報酬に加えて、バナー広告を掲載したホームページの閲覧回数に応じて、広告掲載ホームページの閲覧報酬を支払うように設定することもできる。
バナー広告がクリックされない場合であっても、バナー広告が表示されるだけで宣伝効果を期待できるからである。また、顧客がよく閲覧するホームページであれば、高い宣伝効果を期待できるため、バナー広告を掲載するホームページの差別化を図ることができる。また、一般的に、閲覧者が多いホームページであれば、クリック数及び成果も期待できる。したがって、閲覧報酬を設けることによって、バナー広告を掲載するホームページの差別化を図ることもできる。
【図面の簡単な説明】
第１図は、第１の実施の形態に係るバナー広告システムの概要を示す図である。
第２図は、第１図に係るシステムの全体構成を示す図である。
第３図は、第２図に示すシステムデータベースサーバの構成を示す図である。
第４図は、第２図に示すバナー広告システムの運用フローチャートである。
第５図は、広告報酬総額及びクリック報酬単価の算出方法を示す図である。
第６図は、第２の実施の形態に係るバナー広告システムの概要を示す図である。
第７図は、第６図に係るシステムの全体構成を示す図である。
第８図は、第７図に示すバナー広告システムの運用フローチャートである。
第９図は、第７図に示すバナー広告システムの運用フローチャートである。
第１０図は、第３の実施の形態に係るバナー広告システムの概要を示す図である。
第１１図は、第４の実施の形態に係るバナー広告システムの概要を示す図である。
第１２図は、第１１図に係るシステムの全体構成を示す図である。
第１３図は、第１２図に示すシステムデータベースサーバの構成を示す図である。
第１４図は、第１２図に示すバナー広告システムの運用フローチャートである。
第１５図は、インターネットオークションシステムにおける出品物ホームページの一例を示す図である。
第１６図は、複数の広告掲載ホームページ間でバナー広告を入れ換える態様を説明する図である。
第１７図は、バナー広告を削除して新たなバナー広告を挿入する態様を説明する図である。
【図１】
2003038705.tif 000003
【図２】
2003038705.tif 000004
【図３】
2003038705.tif 000005
【図４】
2003038705.tif 000006
【図５】
2003038705.tif 000007
【図６】
2003038705.tif 000008
【図７】
2003038705.tif 000009
【図８】
2003038705.tif 000010
【図９】
2003038705.tif 000011
【図１０】
2003038705.tif 000012
【図１１】
2003038705.tif 000013
【図１２】
2003038705.tif 000014
【図１３】
2003038705.tif 000015
【図１４】
2003038705.tif 000016
【図１５】
2003038705.tif 000017
【図１６】
2003038705.tif 000018
【図１７】
2003038705.tif 000019
【手続補正書】
【提出日】平成15年3月28日(2003.3.28)
【手続補正１】
【補正対象書類名】明細書
【補正対象項目名】特許請求の範囲
【補正方法】変更
【補正の内容】
【特許請求の範囲】
【請求項１】
広告対象に係るバナー広告を掲載した２以上の広告掲載ホームページと、上記バナー広告をクリックすることにより閲覧できるとともに上記広告対象を掲載した広告ホームページとをインターネット上に設け、上記バナー広告に対する広告報酬を計上するバナー広告方法であって、
各広告掲載ホームページに掲載された上記バナー広告の所定期間内のクリック数を計数するクリック数計数行程と、
すべての広告掲載ホームページについての上記クリック数を積算して総クリック数を求める総クリック数算出行程と、
上記バナー広告に対する広告報酬総額を、上記総クリック数で除して、１クリック当たりのクリック報酬単価を求めるクリック報酬単価算出行程と、
各広告掲載ホームページの上記クリック数と上記クリック報酬単価とを掛け合わせて、各広告掲載ホームページの上記バナー広告に対する広告報酬を算出する広告報酬算出行程とを含む、バナー広告方法。
【請求項２】
上記バナー広告を介して閲覧されたホームページから得られた成果を、各広告掲載ホームページについて計数する広告成果計数行程と、
上記成果をすべての広告掲載ホームページについて積算して全成果を算出する全成果算出行程と、
上記広告報酬総額を上記全成果に基づいて算出する広告報酬総額算出行程とを含む、請求の範囲１に記載のバナー広告方法。
【請求項３】
上記成果に基づいて各広告掲載ホームページの成功報酬を算出する成功報酬算出行程を含み、上記成功報酬を上記広告報酬に加算して計上する、請求の範囲２に記載のバナー広告方法。
【請求項４】
上記広告対象が販売を目的とする商品又は役務に関するものであって、
上記成果が上記商品又は役務の販売数量及び／又は販売額として計数されるとともに、
上記広告報酬総額が、上記販売数量及び／又は販売額に基づいて算出される、請求の範囲２に記載のバナー広告方法。
【請求項５】
上記広告ホームページからリンクして表示される注文ページを設け、上記注文ページを介して上記商品又は役務の注文を行うとともに上記成果の計数を行う、請求の範囲４に記載のバナー広告方法。
【請求項６】
上記注文ページから注文があった場合に、上記広告掲載ホームページの所有者に対する所定の成功報酬を計上する、請求の範囲５に記載のバナー広告方法。
【請求項７】
上記広告ホームページ及び／又は上記広告掲載ホームページが、インターネット上のショッピングモールを構成する商品ホームページである、請求の範囲１に記載のインターネットショッピングモールにおけるバナー広告方法。
【請求項８】
上記広告対象が情報収集を目的とするものであり、上記広告報酬及び／又は上記成功報酬を計上するとともに、情報提供者に対する協力報酬を計上する、請求の範囲３に記載のバナー広告方法。
【請求項９】
インターネット上で行われるオークションに出品される出品物の広告を行うインターネットオークションにおけるバナー広告方法であって、
上記出品物を掲載する出品物ホームページ及びこの出品物ホームページにリンクして表示される入札ページを設けるとともに、
上記出品物ホームページにリンクされたバナー広告を、上記オークションに属する他の出品物ホームページ及び／又は上記オークションに属さない広告掲載ホームページに掲載する、インターネットオークションにおけるバナー広告方法。
【請求項１０】
各ホームページに掲載された上記バナー広告の入札期間内のクリック数を計数するクリック数計数行程と、
上記バナー広告を掲載したすべてのホームページにおける上記クリック数を積算して総クリック数を求める総クリック数算出行程と、
上記バナー広告に対する広告報酬総額を、上記総クリック数で除して、１クリック当たりのクリック報酬単価を求めるクリック報酬単価算出行程と、
各ホームページの上記クリック数と上記クリック報酬単価とを掛け合わせて、各ホームページの上記バナー広告に対する広告報酬を算出する広告報酬算出行程とを含む、請求の範囲９に記載のインターネットオークションにおけるバナー広告方法。
【請求項１１】
上記バナー広告を介して閲覧された出品物ホームページからの入札によって出品物が落札された場合、上記バナー広告を掲載したホームページに対する落札報酬を計上する、請求の範囲９に記載のインターネットオークションにおけるバナー広告方法。
【請求項１２】
各ホームページに掲載されたバナー広告を、所定の間隔で他のバナー広告と入れ換える、請求の範囲９に記載のインターネットオークションにおけるバナー広告方法。
【請求項１３】
広告対象に係るバナー広告を掲載する２以上の広告掲載ホームページと、上記バナー広告をクリックすることによりリンクして閲覧できるとともに広告対象を掲載した広告ホームページとをインターネット上に設け、上記バナー広告のクリックを介して上記広告ホームページが閲覧されることに対する広告報酬を計上するバナー広告システムであって、
各広告掲載ホームページに掲載されたバナー広告の所定期間内のクリック数を計数できるクリック数計数手段と、
すべての広告掲載ホームページについての上記クリック数を積算して総クリック数を求める総クリック数算出手段と、
各広告掲載ホームページの上記バナー広告を介して得られる広告成果を計数する成果計数手段と、
すべての広告掲載ホームページについての上記成果を積算して全成果を算出する全成果算出行程と、
上記全成果に基づいて広告報酬総額を算出する広告報酬総額算出手段と、
上記広告報酬総額を、上記総クリック数で除して、１クリック当たりのクリック報酬単価を求めるクリック報酬単価算出手段と、
各広告掲載ホームページの上記クリック数と上記クリック報酬単価とを掛け合わせて、各広告掲載ホームページの上記バナー広告に対する広告報酬を算出する広告報酬算出手段とを備える、バナー広告システム。
【請求項１４】
削除
【請求項１５】
上記成果に基づいて各広告掲載ホームページの成功報酬を算出する成功報酬算出手段を備える、請求の範囲１３に記載のバナー広告システム。
【請求項１６】
上記成果計数手段は、上記広告ホームページからリンクして表示される注文ページを介して成果を計数するように構成されている、請求の範囲１３に記載のバナー広告システム。
【請求項１７】
上記バナー広告及び／又は上記注文ページを自動的に作成する自動作成手段を備える、請求の範囲１３に記載のバナー広告システム。
【請求項１８】
各出品物について設けられる出品物ホームページと、上記出品物ホームページにリンクされた入札ページを有する入札手段と、落札者を決定する落札手段とを備えるインターネットオークションにおけるバナー広告システムであって、
上記出品物ホームページにリンクされるとともに、上記オークションに属する他の出品物ホームページ及び／又は上記オークションに属さない広告掲載ホームページに掲載されるバナー広告を設けるとともに、
上記各ホームページに掲載されたバナー広告の所定期間内のクリック数を計数できるクリック数計数手段と、
すべてのホームページについての上記クリック数を積算して総クリック数を求める総クリック数算出手段と、
広告報酬総額を、落札された物品の価格及び／又は数量に基づいて算出する、広告報酬総額算出手段と、
上記広告報酬総額を、上記総クリック数で除して、１クリック当たりのクリック報酬単価を求めるクリック報酬単価算出手段と、
各ホームページの上記クリック数と上記クリック報酬単価とを掛け合わせて、各バナー広告に対する広告報酬を算出する広告報酬算出手段とを備える、インターネットオークションにおけるバナー広告システム。
【請求項１９】
削除
【請求項２０】
削除
【請求項２１】
上記落札された出品物の価格及び／又は数量に基づいて、バナー広告を掲載したホームページの成功報酬を算出する成功報酬算出手段を備える、請求の範囲１８に記載のインターネットオークションにおけるバナー広告システム。
【請求項２２】
上記出品物に関するバナー広告を自動的に作成する、バナー広告自動作成手段を備える、請求の範囲１８に記載のインターネットオークションにおけるバナー広告システム。
【請求項２３】
バナー広告に係る出品物と所定の関係にあるホームページを自動的に選定して上記バナー広告を掲載するバナー広告掲載手段を備える、請求の範囲１８に記載のインターネットオークションにおけるバナー広告システム。
【請求項２４】
上記出品物ホームページ及び／又は入札ページをを自動的に作成するホームページ作成手段を備える、請求の範囲１８に記載のインターネットオークションにおけるバナー広告システム。
【請求項２５】
複数の出品物ホームページから構成されるインターネットオークションにおいて、
各出品物ホームページに掲載されたバナー広告を他のバナー広告と所定期間ごとに入れ換えるバナー広告入替え手段を備える、請求の範囲１８に記載のインターネットオークションにおけるバナー広告システム。
【請求項２６】
上記バナー広告に関する出品物が落札されたとき又は出品期間が経過したとき、上記出品物ホームページ及び上記バナー広告の削除と、他の出品物係るバナー広告への入替えを自動的に行うバナー広告更新手段を備える、請求の範囲１８に記載のインターネットオークションにおけるバナー広告システム。
【手続補正２】
【補正対象書類名】明細書
【補正対象項目名】００１０
【補正方法】変更
【補正の内容】
【００１０】
れることに対する広告報酬を計上するバナー広告システムであって、各広告掲載ホームページに掲載されたバナー広告の所定期間内のクリック数を計数できるクリック数計数手段と、すべての広告掲載ホームページについての上記クリック数を積算して総クリック数を求める総クリック数算出手段と、各広告掲載ホームページの上記バナー広告を介して得られる広告成果を計数する成果計数手段と、すべての広告掲載ホームページについての上記成果を積算して全成果を算出する全成果算出行程と、上記全成果に基づいて広告報酬総額を算出する広告報酬総額算出手段と、上記広告報酬総額を、上記総クリック数で除して、１クリック当たりのクリック報酬単価を求めるクリック報酬単価算出手段と、各広告掲載ホームページの上記クリック数と上記クリック報酬単価とを掛け合わせて、各広告掲載ホームページの上記バナー広告に対する広告報酬を算出する広告報酬算出手段とを備えて構成されるものである。
請求の範囲１５に記載した発明は、上記成果に基づいて各広告掲載ホームページの成功報酬を算出する成功報酬算出手段を備えて構成されるバナー広告システムである。
請求の範囲１６に記載した発明は、上記成果計数手段が、上記広告ホームページからリンクして表示される注文ページを介して成果を計数するように構成したバナー広告システムである。
請求の範囲１７に記載した発明は、上記バナー広告及び／又は上記注文ページを自動的に作成する自動作成手段を備えるバナー広告システムである。
請求の範囲１８に記載した発明は、各出品物について設けられる出品物ホームページと、上記出品物ホームページにリンクされた入札ページを有する入札手段と、落札者を決定する落札手段とを備えるインターネットオークションにおけるバナー広告システムであって、上記出品物ホームページにリンクされるとともに、上記オークションに属する他の出品物ホームページ及び／又は上記オークションに属さない広告掲載ホームページに掲載されるバナー広告を設けるとともに、上記各ホームページに掲載されたバナー広告の所定期間内のクリック数を計数できるクリック数計数手段と、すべてのホームページについての上記クリック数を積算して総クリック数を求める総クリック数算出手段と、広告報酬総額を、落札された物品の価格及び／又は数量に基づいて算出する、広告報酬総額算出手段と、上記広告報酬総額を、上記総クリック数で除して、１クリック当たりのクリック報酬単価を求めるクリック報酬単価算出手段と、各ホームページの上記クリック数と上記クリック報酬単価とを掛け合わせて、各バナー広告に対する広告報酬を算出する広告報酬算出手段とを備えて構成される。


【手続補正３】
【補正対象書類名】明細書
【補正対象項目名】００１１
【補正方法】変更
【補正の内容】
【００１１】
請求の範囲２１に記載した発明は、上記落札された出品物の価格及び／又は数量に基づいて、バナー広告を掲載したホームページの成功報酬を算出する成功報酬算出手段を備えるインターネットオークションにおけるバナー広告システムに関するものである。
請求の範囲２２に記載した発明は、上記出品物に関するバナー広告を自動的に作成する、バナー広告自動作成手段を備えるインターネットオークションにおけるバナー広告システムに関するものである。
バナー広告の構成は極めて簡単である。したがって、所定のパターンの中から広告主が選択できるように構成したり、広告主が自分で作成して登録できるように構成することにより、バナー広告掲載ホームページを容易に確保することができる。特に、広告主が商品ホームページを所有している場合、バナー広告のみを作成すれば足りるため、システムの運営も容易になる。
請求の範囲２３に記載した発明は、バナー広告に係る出品物と所定の関係にあるホームページを自動的に選定して上記バナー広告を掲載するバナー広告掲載手段を備えるインターネットオークションにオケルバナー広告システムに関するものである。
請求の範囲２４に記載した発明は、上記出品物ホームページ及び／又は入札ページをを自動的に作成するホームページ作成手段を備えるインターネットオーク




【国際調査報告】
2003038705.tif 000020
2003038705.tif 000021
2003038705.tif 000022
2003038705.tif 000023
2003038705.tif 000024